【手続補正書】
【提出日】平成29年4月18日(2017.4.18)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるワイヤレスデバイスによる階層的通信のための方法であって、
２つ以上の別個のキャリアを使用して、第１のサブフレームタイプを有する１つまたは複数のサブフレームを、フレームの中で同時に送信することと、前記キャリアのうちの少なくとも１つが第１の帯域幅を有する、
第２の帯域幅を有する少なくとも１つのキャリアを使用して、第２のサブフレームタイプとしてのサブフレームを、前記フレームの中で送信することと、前記第２の帯域幅が前記第１の帯域幅よりも大きく、前記第２のサブフレームタイプが、前記第１の帯域幅を有する前記２つ以上の別個のキャリアのアグリゲートされた帯域幅を占有するように帯域幅が変倍されたシンボルを備える、
を備える方法。
【請求項２】
前記第１のサブフレームタイプを有する前記１つまたは複数のサブフレームによって占有される無線周波数スペクトルが、前記第２のサブフレームタイプとしての前記サブフレームによって占有される無線周波数スペクトルの少なくとも一部分と重複する、請求項１に記載の方法。
【請求項３】
前記第２のサブフレームタイプとしての前記サブフレームが、
それぞれが前記第１の帯域幅を有する２つ以上のキャリアを使用して同時に送信される、複数のシンボルの第１のサブセットと、
前記第２の帯域幅を有する少なくとも１つのキャリアを使用して送信される、前記複数のシンボルの第２のサブセットと
を備える前記複数のシンボルを含む、請求項１に記載の方法。
【請求項４】
前記第１のサブフレームタイプが、送信と前記送信の受信の確認応答との間に第１のラウンドトリップ時間（ＲＴＴ）を有し、前記第２のサブフレームタイプが、送信と前記送信の受信の確認応答との間に第２のＲＴＴを有し、前記第２のＲＴＴが前記第１のＲＴＴよりも短い、請求項１に記載の方法。
【請求項５】
前記第１のサブフレームタイプが、第１の持続時間のシンボルを備え、前記第２のサブフレームタイプが、前記第１の持続時間よりも短い第２の持続時間のシンボルを備える、請求項１に記載の方法。
【請求項６】
前記第２のサブフレームタイプが、前記第１の持続時間および前記第２の持続時間のシンボルを備える、請求項５に記載の方法。
【請求項７】
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、請求項１に記載の方法。
【請求項８】
前記送信が、前記ワイヤレスデバイスによって実行され、前記ワイヤレスデバイスが、ユーザ機器（ＵＥ）または基地局のうちの１つである、請求項１に記載の方法。
【請求項９】
ワイヤレス通信システムにおける階層的通信のためのワイヤレスデバイスに関連付けられた装置であって、
２つ以上の別個のキャリアを使用して、第１のサブフレームタイプを有する１つまたは複数のサブフレームを、フレームの中で同時に送信するための手段と、前記キャリアのうちの少なくとも１つが第１の帯域幅を有する、
第２の帯域幅を有する少なくとも１つのキャリアを使用して、第２のサブフレームタイプとしてのサブフレームを、前記フレームの中で送信するための手段と、前記第２の帯域幅が前記第１の帯域幅よりも大きく、前記第２のサブフレームタイプが、前記第１の帯域幅を有する前記２つ以上の別個のキャリアのアグリゲートされた帯域幅を占有するように帯域幅が変倍されたシンボルを備える、
を備える装置。
【請求項１０】
前記第１のサブフレームタイプを有する前記１つまたは複数のサブフレームによって占有される無線周波数スペクトルが、前記第２のサブフレームタイプとしての前記サブフレームによって占有される無線周波数スペクトルの少なくとも一部分と重複する、請求項９に記載の装置。
【請求項１１】
前記第２のサブフレームタイプとしての前記サブフレームが、
それぞれが前記第１の帯域幅を有する２つ以上のキャリアを使用して同時に送信される、複数のシンボルの第１のサブセットと、
前記第２の帯域幅を有する少なくとも１つのキャリアを使用して送信される、前記複数のシンボルの第２のサブセットと
を備える前記複数のシンボルを含む、請求項９に記載の装置。
【請求項１２】
前記第１のサブフレームタイプが、送信と前記送信の受信の確認応答との間に第１のラウンドトリップ時間（ＲＴＴ）を有し、前記第２のサブフレームタイプが、送信と前記送信の受信の確認応答との間に第２のＲＴＴを有し、前記第２のＲＴＴが前記第１のＲＴＴよりも短い、請求項９に記載の装置。
【請求項１３】
前記第１のサブフレームタイプが、第１の持続時間のシンボルを備え、前記第２のサブフレームタイプが、前記第１の持続時間よりも短い第２の持続時間のシンボルを備える、請求項９に記載の装置。
【請求項１４】
前記第２のサブフレームタイプが、前記第１の持続時間および前記第２の持続時間のシンボルを備える、請求項１３に記載の装置。
【請求項１５】
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、請求項９に記載の装置。
【請求項１６】
前記送信が、前記ワイヤレスデバイスによって実行され、前記ワイヤレスデバイスが、ユーザ機器（ＵＥ）または基地局のうちの１つである、請求項９に記載の装置。
【請求項１７】
ワイヤレス通信システムにおける階層的通信のためのワイヤレスデバイスに関連付けられた装置であって、
プロセッサと、
前記プロセッサと電子通信しているメモリと、
前記メモリに記憶された命令とを備え、前記命令は、
２つ以上の別個のキャリアを使用して、第１のサブフレームタイプを有する１つまたは複数のサブフレームを、フレームの中で同時に送信することと、前記キャリアのうちの少なくとも１つが第１の帯域幅を有する、
第２の帯域幅を有する少なくとも１つのキャリアを使用して、第２のサブフレームタイプとしてのサブフレームを、前記フレームの中で送信することと、前記第２の帯域幅が前記第１の帯域幅よりも大きく、前記第２のサブフレームタイプが、前記第１の帯域幅を有する前記２つ以上の別個のキャリアのアグリゲートされた帯域幅を占有するように帯域幅が変倍されたシンボルを備える、
を前記装置にさせるように前記プロセッサによって実行可能である、装置。
【請求項１８】
前記第１のサブフレームタイプを有する前記１つまたは複数のサブフレームによって占有される無線周波数スペクトルが、前記第２のサブフレームタイプとしての前記サブフレームによって占有される無線周波数スペクトルの少なくとも一部分と重複する、請求項１７に記載の装置。
【請求項１９】
前記第２のサブフレームタイプとしての前記サブフレームが、
それぞれが前記第１の帯域幅を有する２つ以上のキャリアを使用して同時に送信される、複数のシンボルの第１のサブセットと、
前記第２の帯域幅を有する少なくとも１つのキャリアを使用して送信される、前記複数のシンボルの第２のサブセットと
を備える前記複数のシンボルを含む、請求項１７に記載の装置。
【請求項２０】
前記第１のサブフレームタイプが、送信と前記送信の受信の確認応答との間に第１のラウンドトリップ時間（ＲＴＴ）を有し、前記第２のサブフレームタイプが、送信と前記送信の受信の確認応答との間に第２のＲＴＴを有し、前記第２のＲＴＴが前記第１のＲＴＴよりも短い、請求項１７に記載の装置。
【請求項２１】
前記第１のサブフレームタイプが、第１の持続時間のシンボルを備え、前記第２のサブフレームタイプが、前記第１の持続時間よりも短い第２の持続時間のシンボルを備える、請求項１７に記載の装置。
【請求項２２】
前記第２のサブフレームタイプが、前記第１の持続時間および前記第２の持続時間のシンボルを備える、請求項２１に記載の装置。
【請求項２３】
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、請求項１７に記載の装置。
【請求項２４】
前記送信が、ユーザ機器（ＵＥ）または基地局によって実行される、請求項１７に記載の装置。
【請求項２５】
ワイヤレス通信システムにおけるワイヤレスデバイスによる階層的通信のためのコードを記憶する非一時的コンピュータ可読媒体であって、前記コードは、
２つ以上の別個のキャリアを使用して、第１のサブフレームタイプを有する１つまたは複数のサブフレームを、フレームの中で同時に送信することと、前記キャリアのうちの少なくとも１つが第１の帯域幅を有する、
第２の帯域幅を有する少なくとも１つのキャリアを使用して、第２のサブフレームタイプとしてのサブフレームを、前記フレームの中で送信することと、前記第２の帯域幅が前記第１の帯域幅よりも大きく、前記第２のサブフレームタイプが、前記第１の帯域幅を有する前記２つ以上の別個のキャリアのアグリゲートされた帯域幅を占有するように帯域幅が変倍されたシンボルを備える、
を行うように実行可能な命令を備える、非一時的コンピュータ可読媒体。
【請求項２６】
前記第１のサブフレームタイプを有する前記１つまたは複数のサブフレームによって占有される無線周波数スペクトルが、前記第２のサブフレームタイプとしての前記サブフレームによって占有される無線周波数スペクトルの少なくとも一部分と重複する、請求項２５に記載の非一時的コンピュータ可読媒体。
【請求項２７】
前記第２のサブフレームタイプとしての前記サブフレームが、
それぞれが前記第１の帯域幅を有する２つ以上のキャリアを使用して同時に送信される、複数のシンボルの第１のサブセットと、
前記第２の帯域幅を有する少なくとも１つのキャリアを使用して送信される、前記複数のシンボルの第２のサブセットと
を備える前記複数のシンボルを含む、請求項２５に記載の非一時的コンピュータ可読媒体。
【請求項２８】
前記第１のサブフレームタイプが、送信と前記送信の受信の確認応答との間に第１のラウンドトリップ時間（ＲＴＴ）を有し、前記第２のサブフレームタイプが、送信と前記送信の受信の確認応答との間に第２のＲＴＴを有し、前記第２のＲＴＴが前記第１のＲＴＴよりも短い、請求項２５に記載の非一時的コンピュータ可読媒体。
【請求項２９】
前記第２のサブフレームタイプとしてのサブフレームが時分割複信されている、請求項２５に記載の非一時的コンピュータ可読媒体。
【請求項３０】
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、請求項２５に記載の非一時的コンピュータ可読媒体。
【手続補正２】
【補正対象書類名】明細書
【補正対象項目名】０１４５
【補正方法】変更
【補正の内容】
【０１４５】
[0165]本開示の前の説明は、当業者が本開示を作製または使用することを可能にするために提供される。本開示への様々な変更は当業者には容易に明らかとなり、本明細書において定義された一般原理は、本開示の趣旨または範囲から逸脱することなく他の変形形態に適用される場合がある。本開示全体にわたって、「例」または「例示的」という用語は、一例または一事例を示すものであり、言及された例についていかなる選好も暗示せず、または必要としない。したがって、本開示は、本明細書で説明した例および設計に限定されるべきでなく、本明細書で開示した原理および新規の特徴に合致する最も広い範囲を与えられるべきである。
以下に、本願の出願当初の特許請求の範囲に記載された発明を付記する。
［Ｃ１］
ワイヤレス通信システムにおける階層的通信のための方法であって、
２つ以上の別個のキャリアを使用して、第１のサブフレームタイプを有する１つまたは複数のサブフレームを、フレームの中で同時に送信することと、前記キャリアのうちの少なくとも１つが第１の帯域幅を有する、
第２の帯域幅を有する少なくとも１つのキャリアを使用して、第２のサブフレームタイプとしてのサブフレームを、前記フレームの中で送信することと、前記第２の帯域幅が前記第１の帯域幅よりも大きい、
を備える方法。
［Ｃ２］
前記第１のサブフレームタイプを有する前記１つまたは複数のサブフレームによって占有される無線周波数スペクトルが、前記第２のサブフレームタイプとしての前記サブフレームによって占有される無線周波数スペクトルの少なくとも一部分と重複する、Ｃ１に記載の方法。
［Ｃ３］
前記第２のサブフレームタイプとしての前記サブフレームが、
それぞれが前記第１の帯域幅を有する２つ以上のキャリアを使用して同時に送信される、複数のシンボルの第１のサブセットと、
前記第２の帯域幅を有する少なくとも１つのキャリアを使用して送信される、前記複数のシンボルの第２のサブセットと
を備える前記複数のシンボルを含む、Ｃ１に記載の方法。
［Ｃ４］
前記第１のサブフレームタイプが、送信と前記送信の受信の確認応答との間に第１のラウンドトリップ時間（ＲＴＴ）を有し、前記第２のサブフレームタイプが、送信と前記送信の受信の確認応答との間に第２のＲＴＴを有し、前記第２のＲＴＴが前記第１のＲＴＴよりも短い、Ｃ１に記載の方法。
［Ｃ５］
前記第１のサブフレームタイプが、第１の持続時間のシンボルを備え、前記第２のサブフレームタイプが、前記第１の持続時間よりも短い第２の持続時間のシンボルを備える、Ｃ１に記載の方法。
［Ｃ６］
前記第２のサブフレームタイプが、前記第１の持続時間および前記第２の持続時間のシンボルを備える、Ｃ５に記載の方法。
［Ｃ７］
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、Ｃ１に記載の方法。
［Ｃ８］
前記送信が、ユーザ機器（ＵＥ）または基地局によって実行される、Ｃ１に記載の方法。
［Ｃ９］
ワイヤレス通信システムにおける階層的通信のための装置であって、
２つ以上の別個のキャリアを使用して、第１のサブフレームタイプを有する１つまたは複数のサブフレームを、フレームの中で同時に送信するための手段と、前記キャリアのうちの少なくとも１つが第１の帯域幅を有する、
第２の帯域幅を有する少なくとも１つのキャリアを使用して、第２のサブフレームタイプとしてのサブフレームを、前記フレームの中で送信するための手段と、前記第２の帯域幅が前記第１の帯域幅よりも大きい、
を備える装置。
［Ｃ１０］
前記第１のサブフレームタイプを有する前記１つまたは複数のサブフレームによって占有される無線周波数スペクトルが、前記第２のサブフレームタイプとしての前記サブフレームによって占有される無線周波数スペクトルの少なくとも一部分と重複する、Ｃ９に記載の装置。
［Ｃ１１］
前記第２のサブフレームタイプとしての前記サブフレームが、
それぞれが前記第１の帯域幅を有する２つ以上のキャリアを使用して同時に送信される、複数のシンボルの第１のサブセットと、
前記第２の帯域幅を有する少なくとも１つのキャリアを使用して送信される、前記複数のシンボルの第２のサブセットと
を備える前記複数のシンボルを含む、Ｃ９に記載の装置。
［Ｃ１２］
前記第１のサブフレームタイプが、送信と前記送信の受信の確認応答との間に第１のラウンドトリップ時間（ＲＴＴ）を有し、前記第２のサブフレームタイプが、送信と前記送信の受信の確認応答との間に第２のＲＴＴを有し、前記第２のＲＴＴが前記第１のＲＴＴよりも短い、Ｃ９に記載の装置。
［Ｃ１３］
前記第１のサブフレームタイプが、第１の持続時間のシンボルを備え、前記第２のサブフレームタイプが、前記第１の持続時間よりも短い第２の持続時間のシンボルを備える、Ｃ９に記載の装置。
［Ｃ１４］
前記第２のサブフレームタイプが、前記第１の持続時間および前記第２の持続時間のシンボルを備える、Ｃ１３に記載の装置。
［Ｃ１５］
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、Ｃ９に記載の装置。
［Ｃ１６］
前記送信が、ユーザ機器（ＵＥ）または基地局によって実行される、Ｃ９に記載の装置。
［Ｃ１７］
ワイヤレス通信システムにおける階層的通信のための装置であって、
プロセッサと、
前記プロセッサと電子通信しているメモリと、
前記メモリに記憶された命令とを備え、前記命令は、
２つ以上の別個のキャリアを使用して、第１のサブフレームタイプを有する１つまたは複数のサブフレームを、フレームの中で同時に送信することと、前記キャリアのうちの少なくとも１つが第１の帯域幅を有する、
第２の帯域幅を有する少なくとも１つのキャリアを使用して、第２のサブフレームタイプとしてのサブフレームを、前記フレームの中で送信することと、前記第２の帯域幅が前記第１の帯域幅よりも大きい、
を前記装置にさせるように前記プロセッサによって実行可能である、装置。
［Ｃ１８］
前記第１のサブフレームタイプを有する前記１つまたは複数のサブフレームによって占有される無線周波数スペクトルが、前記第２のサブフレームタイプとしての前記サブフレームによって占有される無線周波数スペクトルの少なくとも一部分と重複する、Ｃ１７に記載の装置。
［Ｃ１９］
前記第２のサブフレームタイプとしての前記サブフレームが、
それぞれが前記第１の帯域幅を有する２つ以上のキャリアを使用して同時に送信される、複数のシンボルの第１のサブセットと、
前記第２の帯域幅を有する少なくとも１つのキャリアを使用して送信される、前記複数のシンボルの第２のサブセットと
を備える前記複数のシンボルを含む、Ｃ１７に記載の装置。
［Ｃ２０］
前記第１のサブフレームタイプが、送信と前記送信の受信の確認応答との間に第１のラウンドトリップ時間（ＲＴＴ）を有し、前記第２のサブフレームタイプが、送信と前記送信の受信の確認応答との間に第２のＲＴＴを有し、前記第２のＲＴＴが前記第１のＲＴＴよりも短い、Ｃ１７に記載の装置。
［Ｃ２１］
前記第１のサブフレームタイプが、第１の持続時間のシンボルを備え、前記第２のサブフレームタイプが、前記第１の持続時間よりも短い第２の持続時間のシンボルを備える、Ｃ１７に記載の装置。
［Ｃ２２］
前記第２のサブフレームタイプが、前記第１の持続時間および前記第２の持続時間のシンボルを備える、Ｃ２１に記載の装置。
［Ｃ２３］
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、Ｃ１７に記載の装置。
［Ｃ２４］
前記送信が、ユーザ機器（ＵＥ）または基地局によって実行される、Ｃ１７に記載の装置。
［Ｃ２５］
ワイヤレス通信システムにおける階層的通信のためのコードを記憶する非一時的コンピュータ可読媒体であって、前記コードは、
２つ以上の別個のキャリアを使用して、第１のサブフレームタイプを有する１つまたは複数のサブフレームを、フレームの中で同時に送信することと、前記キャリアのうちの少なくとも１つが第１の帯域幅を有する、
第２の帯域幅を有する少なくとも１つのキャリアを使用して、第２のサブフレームタイプとしてのサブフレームを、前記フレームの中で送信することと、前記第２の帯域幅が前記第１の帯域幅よりも大きい、
を行うように実行可能な命令を備える、非一時的コンピュータ可読媒体。
［Ｃ２６］
前記第１のサブフレームタイプを有する前記１つまたは複数のサブフレームによって占有される無線周波数スペクトルが、前記第２のサブフレームタイプとしての前記サブフレームによって占有される無線周波数スペクトルの少なくとも一部分と重複する、Ｃ２５に記載の非一時的コンピュータ可読媒体。
［Ｃ２７］
前記第２のサブフレームタイプとしての前記サブフレームが、
それぞれが前記第１の帯域幅を有する２つ以上のキャリアを使用して同時に送信される、複数のシンボルの第１のサブセットと、
前記第２の帯域幅を有する少なくとも１つのキャリアを使用して送信される、前記複数のシンボルの第２のサブセットと
を備える前記複数のシンボルを含む、Ｃ２５に記載の非一時的コンピュータ可読媒体。
［Ｃ２８］
前記第１のサブフレームタイプが、送信と前記送信の受信の確認応答との間に第１のラウンドトリップ時間（ＲＴＴ）を有し、前記第２のサブフレームタイプが、送信と前記送信の受信の確認応答との間に第２のＲＴＴを有し、前記第２のＲＴＴが前記第１のＲＴＴよりも短い、Ｃ２５に記載の非一時的コンピュータ可読媒体。
［Ｃ２９］
前記第２のサブフレームタイプとしてのサブフレームが時分割複信されている、Ｃ２５に記載の非一時的コンピュータ可読媒体。
［Ｃ３０］
前記第１のサブフレームタイプとしてのサブフレームが、周波数分割複信（ＦＤＤ）、時分割複信（ＴＤＤ）、または補助ダウンリンク（ＳＤＬ）サブフレームであり、ここにおいて、前記第２のサブフレームタイプとしてのサブフレームが、ＦＤＤ、ＴＤＤ、またはＳＤＬバーストサブフレームである、Ｃ２５に記載の非一時的コンピュータ可読媒体。